(57)【要約】      （修正有）【課題】電子機器の高度な信頼性を維持した状態で、電子機器筐体の小型軽量化を可能にした新規な電子機器筐体を提供する。【解決手段】発熱や外部環境による信頼性低下の影響を受けにくい電子機器及びその他収納物を格納する第一収納部１と、発熱や外部環境による信頼性低下の影響を受けやすい電子機器及びその他収納物を格納する第二収納部２とを各々設け、これら２つの収納部間を離隔、断熱してあることを特徴とする電子機器筐体。【選択図】図１
2008244214.tif 000002
【特許請求の範囲】
【請求項１】
発熱や外部環境による信頼性低下の影響を受けにくい電子機器及びその他収納物を格納する第一収納部と、発熱や外部環境による信頼性低下の影響を受けやすい電子機器及びその他収納物を格納する第二収納部とを各々設け、これら２つの収納部間を離隔、断熱してあることを特徴とする電子機器筐体。
【請求項２】
前記第一収納部に吸気した外気を外部へ放出させるファンを単数又は複数備えてあることを特徴とする請求項１記載の電子機器筐体。
【請求項３】
前記ファンを排気口近傍に設け、吸気口近傍に塩分や塵埃などの汚れが前記第一収納部内に侵入することを阻止するエアフィルタを備えてあることを特徴とする請求項２記載の電子機器筐体。
【請求項４】
前記第二収納部に気体を循環させる内部ファンを単数又は複数備えてあり、前記第二収納部内を前記内部ファンにより熱を内部循環させ、前記第二収納部内の外壁を介して前記第二収納部の熱を放出するようにしてあることを特徴とする請求項１乃至３のいずれかに記載の電子機器筐体。
【発明の詳細な説明】
【技術分野】
【０００１】
本発明は、電子機器その他収納物を収納し、電子装置の自己発熱による内部温度上昇を抑制して電子機器を安定に動作させる電子機器筐体に関するものである。
【背景技術】
【０００２】
従来の電子機器筐体を図２、図３及び図４に示す。図２に示す電子機器筐体は外気導入冷却方式と言われ、電子機器その他収納物を収納する電子機器収納部１０に吸気孔１１を設けて外気を前記電子機器収納部１０に吸気し、排気ファン１２により内部空気とともに熱を放出するように構成してある。
【０００３】
図３に示す電子機器筐体は、内部循環冷却方式と言われ、電子機器その他収納物を収納する電子機器収納部２０の内部に内部ファン２１を設けて熱を内部循環させ、前記電子機器収納部２０内の熱を外壁で熱を放出するように構成してある。
【０００４】
図４に示す電子機器筐体は、内部循環・熱交換器冷却方式と言われ、電子機器その収納物を収納する電子機器収納部３０の内部に内部ファン３１を設けて熱を内部循環させ、前記電子機器収納部３０の外壁に熱交換部３２を設け、この熱交換部３２と外壁で前記電子機器収納部３０内の熱を放出するように構成してある（特許文献１参照）。
【特許文献１】特開平１０−３１１６３８号公報
【発明の開示】
【発明が解決しようとする課題】
【０００５】
しかし、いずれの方式においても、全ての電子機器及び収納物を一つの収納部にまとめて収納するため、発熱による信頼性低下の影響を受けやすい電子機器及びその他収納物の温度上昇規格に合わせなければならないので、電子機器筐体そのものが比較的大きくなるという問題があった。また、外気導入冷却方式では環境の悪い外気を装置内全体に取り込むため、全ての電子機器及び収納物に塵埃や塩分が付着することにより電子機器の信頼性が低下するという問題があった。
【０００６】
本発明は、上記問題に鑑みてなされたものであり、電子機器の高度な信頼性を維持した状態で、電子機器筐体の小型軽量化を可能にした新規な電子機器筐体を提供する。
【課題を解決するための手段】
【０００７】
上記課題を解決するために、本発明に係る電子機器筐体は、発熱や外部環境による信頼性低下の影響を受けにくい電子機器及びその他収納物を格納する第一収納部と、発熱や外部環境による信頼性低下の影響を受けやすい電子機器及びその他収納物を格納する第二収納部とを各々設け、これら２つの収納部間を隔離、断熱してあることを特徴とする。なお、この収納部は２以上でも可能と容易に考えることが出来る。
【０００８】
また、前記第一収納部に吸気した外気を外部へ放出させるファンを単数又は複数備えてあることを特徴とする。なお、第一収納部内の発熱が少なければ自然換気のみの放熱でも可能と容易に考えることが出来る。
【０００９】
また、本発明に係る電子機器筐体は吸気口近傍に塩分や塵埃などの汚れが前記第一収納部内に侵入することを阻止するエアフィルタを備えてあることを特徴とする。なお、外気の影響が少ない場合はエアフィルタは不要と容易に考えることが出来る。
【００１０】
また、前記第二収納部には気体を循環させる内部ファンを単数又は複数備えてあり、前記第二収納部内を前記内部ファンにより熱を内部循環させ、前記第二収納部内の外壁を介して前記第二収納部の熱を放出するようにしてあることを特徴とする。なお、第二収納部内の発熱が少なければ自然対流のみの放熱でも可能と容易に考えることが出来る。
【発明の効果】
【００１１】
本発明によれば、発熱や外部環境による信頼性の低下に影響を受けない収納物と、発熱や外部環境による信頼性の低下に影響を受ける収納物とをそれぞれ異なった収納部に収納し、発熱や外部環境による信頼性の低下に影響を受けない収納物を収納する第一収納部に、吸気した外気を熱とともに外部へ放出させる外気導入冷却方式にすることにより、電子機器筐体の小型軽量化を可能にする効果がある。
【００１２】
また、発熱や外部環境による信頼性の低下に影響を受ける収納物を収納する第二収納部に内部ファン又は自然対流により熱を内部循環させ、第二収納部内の外壁を介して第二収納部の熱を放出する内部循環冷却方式にすることにより、高信頼性を維持できる。
【００１３】
また、異なった収納部に収納物ごとの信頼性を考慮した最適な冷却方式の採用が出来るため、従来の電子機器筐体と同様な信頼性を維持したまま、電子機器筐体の小型軽量化を可能にする効果がある。
【発明を実施するための最良の形態】
【００１４】
発明を実施するための最良の形態に係る構成説明図を図１に示す。本実施例では電子機器筐体は屋外設置用の通信機器の部品を搭載して、屋外設置用通信機器を構成する。この電子機器筐体は、発熱や外部環境による信頼性の低下に影響を受けにくい電子機器その他収納物を収納する第一収納部１と、発熱や外部環境による信頼性の低下に影響を受けやすい電子機器その他収納物を収納する第二収納部２とを備えてある。第一収納部１を第二収納部２の上部に設けてあり、これら二つの収納部１，２間は隔離、断熱してある。また、本実施例においては、第一収納部１には、電源部の発熱部分を収納してあり、第二収納部には電源部の非発熱部分、光成端箱、周辺機器、並びに、蓄電池を収納してある。
【００１５】
第一収納部１には、吸気した外気を外部へ放出させるファン３を排気側に備えてある。また、吸気側には塩分や塵埃などの汚れが第一収納部内に侵入することを阻止するエアフィルタ４を備えてある。具体的に本実施例においては、第一収納部１の一方の側壁に排気口を形成し、この排気口の内側にファン３を取り付けてある。一方、第一収納部１の他方の側壁に吸気口を形成し、この吸気口の内側にエアフィルタ４を取り付けてある。以上の構成より第一収納部１にエアフィルタ４を介して外気を取り入れ、熱せられた空気を外部へ放出するようにしてある。なお、本実施例においては、第一収納部１にエアフィルタ４を介して外気を取り入れ、熱せられた空気を外部へ放出するような構成であれば、ファン３を設ける位置はこれに限定されない。また、外気の影響が少ない場合はエアフィルタ４は不要と容易に考えることが出来る。
【００１６】
第二収納部２に気体を循環させる内部ファン５を備えてあり、第二収納部２内を内部ファン５により熱を内部循環させ、第二収納部２内の外壁を介して第二収納部２の熱を放出するようにしてある。なお、第二収納部２内の発熱が少なければ自然対流のみの放熱でも可能と容易に考えることが出来る。また、本実施例では、熱交換部４を設けていないが、第二収納部２内の発熱が多ければ第二収納部２の側面にフィンを設け、熱伝導を良好にすることも可能である。なお、熱交換部４は外気に触れることなく、第二収納部２内の熱を外部に放出するような構成であれば、構成はこれに限定されない。
【００１７】
以上のように構成してある電子機器筐体は、以下のように作用する。先ず、第一収納部１内において、ファン３が稼動して、エアフィルタ４を介して外気を取り入れ、熱せられた空気を外部へ放出する。
【００１８】
一方、第二収納部２においては、内部ファン３が稼動して、熱を内部循環させる。この際、熱は第二収納部２に外壁に触れる。外壁に伝わった熱は外部に放出される。
【００１９】
また、第二収納部２には、電源部の非発熱部分、発熱や外部環境による信頼性低下の影響を受けやすい光成端箱、周辺機器、並びに、蓄電池を収納してあるが、これら自身は発熱量が微量であり、これら自身での発熱による内部温度上昇は少ないので、信頼性低下の影響をほとんど与えない。また、第一収納部１と第二収納部２とは断熱してあるため、第一収納部１内から発した熱は第二収納部２に影響をほとんど与えず、第二収納部２内の部材は第一収納部１内から発した熱による信頼性低下の影響を受けない。
【００２０】
また、本発明では、発熱や外部環境による信頼性低下の影響を受けにくい電子機器及びその他収納物と、発熱や外部環境による信頼性低下の影響を受けやすい電子機器及びその他収納物とを別々の収納部に隔離、断熱したことにより、発熱による信頼性低下の影響を受けやすい電子機器及びその他収納物の温度上昇規格に合わせる部分が小さくなるため、従来のものより、電子機器筐体を小型化することができる。
【００２１】
また、本発明では、発熱や外部環境による信頼性低下の影響を受けにくい電子機器及びその他収納物と、発熱や外部環境による信頼性低下の影響を受けやすい電子機器及びその他収納物とを別々の収納部に隔離、断熱したことにより、異なった収納部に収納物ごとの信頼性を考慮した最適な冷却方式の採用が出来るため、外気導入冷却方式でありながら、従来の密閉型の電子機器筐体と同様な信頼性を維持することができる。
【００２２】
また、本実施例においては、第一収納部１を第二収納部２の上部に設けてあるが、第一収納部１と第二収納部２との間を隔離して、第一収納部１の熱が第二収納部２内に流入しないように構成してあれば良い。例えば、第一収納部１を第二収納部２の下部に設けてあっても良く、また、第一収納部１を第二収納部２の横に設けてあっても良い。
【００２３】
また、本実施例においては、第一収納部１と第二収納部２と二つ分かれているが、これら収納部１，２は二つ以上設けてあっても良い。例えば、第一収納部１を中央に設け、この上下に第二収納部２を設けることも可能である。
【産業上の利用可能性】
【００２４】
本発明によれば、発熱や外部環境による信頼性の低下に影響を受けない収納物と、発熱や外部環境による信頼性の低下に影響を受ける収納物とをそれぞれ異なった収納部に収納し、発熱や外部環境による信頼性の低下に影響を受けない収納物を収納する収納部に外気導入冷却方式、発熱や外部環境による信頼性の低下に影響を受ける収納物を収納する収納部に内部循環冷却方式など収納物毎の信頼性を考慮した最適な冷却方式を採用出来るため、従来の電子機器筐体と同様な信頼性を維持したまま、電子機器筐体の小型軽量化を可能とし、産業上利用可能である。
【図面の簡単な説明】
【００２５】
【図１】本発明に係る電子機器筐体における発明を実施するための最良の形態の原理的構成説明図である。
【図２】従来における電子機器筐体の原理的構成説明図である。
【図３】同じく従来における電子機器筐体の原理的構成説明図である。
【図４】同じく従来における電子機器筐体の原理的構成説明図である。
【符号の説明】
【００２６】
１  第一収納部
２  第二収納部
３，２１，３１  ファン
４  エアフィルタ
５  内部ファン
１０，２０，３０  電子機器収納部
１１  吸気孔
１２  排気ファン
３２  熱交換部
【図１】
2008244214.tif 000003
【図２】
2008244214.tif 000004
【図３】
2008244214.tif 000005
【図４】
2008244214.tif 000006